(57)【要約】【課題】椅子自体の優美なデザイン性を損なう事なく、かつ、使い易く利便性の高い椅子カバーを提供する。【解決手段】合成樹脂素材によって一体に成型された椅子の座部と背もたれ部を覆う袋状の椅子カバーにおいて、座部の上面を覆う座部上面部材１１、背もたれ部の前面を覆う背もたれ部前面部材１２、背もたれ部の後面を覆う背もたれ部後面部材２１と２２、および座部の下面を覆う複数の座部下面部材２３ないし２９を設ける。各部材の相対する辺同士を縫合することによって袋状に縫製し、かつ、座部下面部材の各々によって袋状縫製体の伸縮自在な開口部３０を構成する。【選択図】図１
0003165198.tif 000002
【実用新案登録請求の範囲】
【請求項１】
合成樹脂素材によって一体に成型された椅子の座部と背もたれ部を覆う袋状の椅子カバーであって、
座部の上面を覆う座部上面部材１１、背もたれ部の前面を覆う背もたれ部前面部材１２、背もたれ部の後面を覆う背もたれ部後面部材２１と２２、および座部の下面を覆う複数の座部下面部材２３ないし２９を含み、
前記各部材の相対する辺同士を縫合することによって袋状に縫製され、かつ、前記複数の座部下面部材の各々によって前記袋状縫製体の開口部３０が形成されることを特徴とする椅子カバー。
【請求項２】
前記袋状縫製体の開口部を形成する複数の座部下面部材の各々において、開口部に当たる辺部には伸縮自在なストレッチ部材が設けられていることを特徴とする請求項１に記載の椅子カバー。
【請求項３】
前記座部上面部材および背もたれ部前面部材の少なくとも一方には、その裏面に着脱自在なクッション部材が展貼されていることを特徴とする請求項１または２に記載の椅子カバー。
【考案の詳細な説明】
【技術分野】
【０００１】
本考案は、プラスチック等の合成樹脂材料で一体成型された椅子に装着される椅子カバーに関するものであり、より詳細には椅子の座部と背もたれ部の全体を覆う袋状の椅子カバーに関するものである。
【背景技術】
【０００２】
ホテルやレストラン或いは一般家庭で使用される椅子としては、近年プラスチックなどの合成樹脂材料を用いて座部と背もたれ部とが一体成型された、例えば、図５の斜視図に示されるような形状のものが広く利用されるようになった。特に、デンマークやスウェーデン等の北欧諸国における著名デザイナーの手によるものは、そのデザインも洗練されており、椅子自体としての機能性も優れたものが数多く見受けられる。
【０００３】
一般に、このような椅子を用いる場合には椅子単体で使用するよりも、これに、例えば布製等の椅子カバーを併せて用いることが多い。椅子に椅子カバーを付することによって、椅子自体の汚損を防止することができ、また、異なった図柄の椅子カバーと交換することによって椅子のデザイン変化を楽しむこともできる。さらに、気温が低下する冬季においては、椅子カバーの付加によって着席時の不快感を緩和することができ、また、椅子カバーの座部にクッション機能を内包させることにより椅子使用時の爽快感を高めることも可能となる。
【０００４】
従来、このような椅子カバーとしては、例えば、特許文献１或いは文献２に示されるような様々の先行技術が開示されている。
【０００５】
【特許文献１】特開２００２−０９５５４２号公報
【特許文献２】登録実用新案公報第３１３１７９６号
【考案の開示】
【考案が解決しようとする課題】
【０００６】
しかしながら、これらの先行文献に開示された椅子カバーは、椅子に袋状のカバーを被せ椅子全体をスッポリと覆う方式であり、椅子自体のデザイン性を敢えて隠蔽する性質のものであった。また、袋状である椅子カバーの裾部が床面に垂れるため椅子カバー裾部の汚損が著しく、場合によっては椅子カバーの裾部が椅子の脚部と床面に挟まれ、裾部の布地が破断されてしまう等のおそれもあった。
【０００７】
本考案は、このような従来からの課題を解決することを目的とするものであって、椅子自体の優美なデザイン性を損なう事無く、かつ、使い易く利便性の高い椅子カバーを提供することを目的とする。
【課題を解決するための手段】
【０００８】
本考案の第１の観点による椅子カバーは、前述の目的を達成するため、
合成樹脂素材によって一体に成型された椅子の座部と背もたれ部を覆う袋状の椅子カバーであって、
座部の上面を覆う座部上面部材１１、背もたれ部の前面を覆う背もたれ部前面部材１２、背もたれ部の後面を覆う背もたれ部後面部材２１と２２、および座部の下面を覆う複数の座部下面部材２３ないし２９を含み、
前記各部材の相対する辺同士を縫合することによって袋状に縫製され、かつ、前記複数の座部下面部材の各々によって前記袋状縫製体の開口部３０が形成されることを特徴とする。
【０００９】
また、本考案の第２の観点による椅子カバーは、上記第１の観点において、
前記袋状縫製体の開口部を形成する複数の座部下面部材の各々において、開口部に当たる辺部には伸縮自在なストレッチ部材が設けられていることを特徴とする。
【００１０】
また、本考案の第３の観点による椅子カバーは、上記第１または第２の観点において、
前記座部上面部材及び背もたれ部前面部材の少なくとも一方には、その裏面に着脱自在なクッション部材が展貼されていることを特徴とする。
【考案の効果】
【００１１】
本考案によれば、椅子自体の優美なデザイン性を損なう事無く、かつ、使い勝手の良い椅子カバーを簡易な構成によって実現することができる。
【考案を実施するための最良の形態】
【００１２】
本考案に基づく椅子カバーの最良の形態である実施例について、本考案の明細書に添付された各図面を参照しつつ以下に説明を行う。先ず、本実施例に基づく椅子カバー１の構造を図１の概略斜視図に示す。同図に示されるように、椅子カバー１は、複数の布片を縫合してなる袋状の縫製体であり、それぞれが複数の布片から成る上面部１０と下面部２０とを縫合した袋状縫製体となっている。
【００１３】
すなわち、図中の黒矢印に示す如く下面部２０の上に上面部１０を重ね合わせ、それぞれの縁部どうしを縫い合わせることによって、袋状の椅子カバー１が完成するのである。なお、上面部１０と下面部２０の各々に記載された数字（１１〜１２および２１〜２９）は、それぞれの部位を構成する布片部材の番号を示すものであり、これらについては以下においてその詳細を後述する。
【００１４】
一方、下面部２０の略中央には開口部３０が設けられており、開口部３０を囲む各布片の終端辺には伸縮自在な、例えば、紐状或いは帯状ゴムなどのストレッチ部材が縫いこまれている。それ故、開口部３０は大きく拡げることが可能であり、これによって椅子カバー１を、図５に示した椅子の背もたれ部と座部の全体に被せることができる。
【００１５】
次に、椅子カバー１の上面部１０と下面部２０のそれぞれについて説明を行なう。先ず、上面部１０を構成する各布片を図２に示す。同図からも明らかなように、上面部１０は、椅子の座部上面を覆う座部上面部材１１、及び背もたれ部の前面を覆う背もたれ部前面部材１２から構成されている。座部上面部材１１と背もたれ部前面部材１２において対応するアルファベット記号どうし、すなわち、１１ａと１２ａ、及び１１ｂと１２ｂを縫い合わせることによって椅子カバー１の上面部１０が形成される。
【００１６】
本実施例においては、椅子カバー１の上面部１０を、座部上面部材１１と背もたれ部前面部材１２の２枚の布片部材を縫い合わせて構成しているため、３枚以上の布片部材を縫合して椅子カバー上面部を構成する場合に較べ、上面に露出される縫合部分が少なくなり椅子カバー上面部の見栄えが良好となる。
【００１７】
続いて、椅子カバー１の下面部２０を構成する各布片を図３及び図４に示す。前述の図１に示されるように、下面部２０は、椅子の背もたれ部の後面を覆う背もたれ部後面部材２１と２２、および座部の下面を覆う複数の座部下面部材２３ないし２９から構成されている。そして、これらの各布片をそれぞれの対応するアルファベット記号どうし縫い合わせることによって、椅子カバー１の下面部２０が形成されるのである。
【００１８】
具体的には、図３に示される背もたれ部後面部材２１の２１ｍと座部下面部材２３の２３ｍ、同部材の２３ｎと座部下面部材２４の２４ｎ、同部材の２４ｏと座部下面部材２５の２５ｏ、同部材の２５ｐと座部下面部材２６の２６ｐ、どうしをそれぞれ縫い合わせることによって、下面部２０の右側（椅子後方からの視座による）半分、及び下面部２０の前中央部が形成される。
【００１９】
一方、図４に示される背もたれ部後面部材２２の２２ｒと座部下面部材２７の２７ｒ、同部材の２７ｓと座部下面部材２８の２８ｓ、同部材の２８ｔと座部下面部材２９の２９ｔ、どうしをそれぞれ縫い合わせることによって、下面部２０の左側（椅子後方からの視座による）半分が形成されることになる。
【００２０】
以上に説明した下面部２０の左側と右側とを用いて、背もたれ部後面部材２１の２１ｌと背もたれ部後面部材２２の２２ｌ、座部下面部材２６の２６ｑと座部下面部材２９の２９ｑ、どうしをそれぞれ縫い合わせることによって下面部２０の全体が形成される。さらに、一体化された下面部２０と前述の上面部１０とを合わせ、それぞれ対応するアルファベット記号どうしを縫い合わせることにより、本実施例による袋状の椅子カバー１の全体が完成される。
【００２１】
具体的には、図２に示す背もたれ部前面部材１２の１２ｃと図３に示す背もたれ部後面部材２１の２１ｃ、図２に示す背もたれ部前面部材１２の１２ｄと図４に示す背もたれ部後面部材２２の２２ｄ、ならびに図２に示す座部上面部材１１の１１ｅ〜１１ｋと図３，４に示す座部下面部材２３〜２９のそれぞれに対応したアルファベット記号どうし（即ち、１１ｅと２３ｅ、１１ｆと２４ｆ、１１ｇと２５ｇ、１１ｈと２６ｈ、１１ｉと２９ｉ、１１ｊと２８ｊ、１１ｋと２９ｋ）を縫合することによって椅子カバー１が完成されるのである。
【００２２】
各々の座部下面部材２３〜２９において、隣り合う他の座部下面部材と縫合されない布片の辺部は（図３，４において斜線が施された部位）は、椅子カバー１の袋状縫製体が完成した際の袋の開口部３０となる。前述のように、椅子カバー１は下面部２０に設けられた開口部３０を押し拡げて椅子の背もたれ部及び座部に被せるものである。
【００２３】
したがって、開口部３０を形成する各布片部材の辺部（図３，４において斜線が施された部位）は伸縮自在な構造となっている。このような構造を実現するには、例えば、該当する辺部の布を襞状にしてこれに平ゴムや丸ゴム等によるストレッチ部材を縫い込むような構成としても良い。
【００２４】
なお、このようなストレッチ部材としては、ゴム部材以外にも、例えば、ポリエステル・テープなどの伸縮自在なテープ部材を用いることも可能である。或いは、開口部３０を形成する各布片の辺部を巾着のような構造とし、紐状部材などによって巾着の開口部を閉じるような構成としても良い。
【００２５】
ところで、本実施例による椅子カバー１に使用される素材としては、例えば、化学繊維製品や綿製品などの多種多様な布地を用いることができる。また、革製品や工芸性の高い織物などを用いて椅子カバー１を構成することも可能である。なお、椅子カバーが汚損した場合の洗濯の利便性、或いは、その耐久性や経済性等の問題に鑑みれば、椅子カバー１の素材としては、ポリエステルを主原料とした合成繊維を用いることが好ましい。
【００２６】
また、本実施例による椅子カバーの応用事例としては、上面部１０の内側に、例えば、ポリウレタン・フォームなどのクッション部材を内包するような構成としても良い。これによって、椅子使用時のクッション感触が向上し、椅子カバーの付加によるメリットをさらに高めることができる。
【００２７】
因みに、クッション部材を付加する部位については、例えば、上面部１０を構成する座部上面部材１１、或いは背もたれ部前面部材１２の裏面に沿って貼り付けるようにすれば良い。なお、椅子カバーの洗濯やその交換の際の利便性に鑑みれば、クッション部材は、止めピンや面ファスナーなどを利用して、座部上面部材１１や背もたれ部前面部材１２の裏側から容易に着脱可能な構造とすることが好ましい。
【００２８】
以上に説明したように、本考案の実施例によれば、椅子自体のデザイン性を損なう事なく、かつ、使い勝手の良い椅子カバーを低コストで実現することができ、係る椅子カバーを用いることによって椅子の付加価値をさらに高めることが可能となる。
【００２９】
なお、本考案の実施形態は、以上に説明した各実施例に限定されるものではなく、例えば、各々の実施例を構成する各部位の形状や配置或いはその素材等は、本考案の趣旨を逸脱することなく、現実の実施態様に即して適宜変更ができるものであることは言うまでもない。
【産業上の利用可能性】
【００３０】
以上に説明した本考案の構成は、ホテルやレストラン或いは一般家庭で用いられる椅子においてその利用が可能である。
【図面の簡単な説明】
【００３１】
【図１】本考案の実施例である椅子カバー１の構造を示す概略斜視図である。
【図２】図１に示す椅子カバー１の上面部の構成部材を示す説明図である。
【図３】図１に示す椅子カバー１の下面部の構成部材を示す説明図である。
【図４】図１に示す椅子カバー１の下面部の他の構成部材を示す説明図である。
【図５】座部および背もたれ部が一体構成された椅子の概略を示す斜視図である。
【符号の説明】
【００３２】
１            …  椅子カバー
１０          …  椅子カバー上面部
１１          …  座部上面部材
１２          …  背もたれ部前面部材
２０          …  椅子カバー下面部
２１，２２    …  背もたれ部後面部材
２３〜２９    …  座部下面部材
３０          …  椅子カバー開口部
【図１】
0003165198.tif 000003
【図２】
0003165198.tif 000004
【図３】
0003165198.tif 000005
【図４】
0003165198.tif 000006
【図５】
0003165198.tif 000007